【手続補正書】
【提出日】平成17年2月23日(2005.2.23)
【手続補正１】
【補正対象書類名】明細書
【補正対象項目名】発明の名称
【補正方法】変更
【補正の内容】
【発明の名称】機能性素子基板、その製作装置、画像表示装置および画像表示システム
【手続補正２】
【補正対象書類名】明細書
【補正対象項目名】特許請求の範囲
【補正方法】変更
【補正の内容】
【特許請求の範囲】
【請求項１】
上下方向を短手方向、左右方向を長手方向とする表示面を有する画像表示装置に組み込まれる機能性素子基板を製作する機能性素子基板製作装置において、該機能性素子基板製作装置は、短手方向×長手方向が、２００ｍｍ×３００ｍｍ〜２０００ｍｍ×３０００ｍｍの範囲の大きさの長方形基板を設置するとともに、前記機能性素子は、有機の機能性材料を含有する溶液の液滴をピエゾ素子を利用したドロップオンデマンド方式の液滴噴射ヘッドにより噴射付与し、該溶液の溶媒を除去してなる機能性素子であり、前記電極としてＩＴＯを使用し、前記有機の機能性材料として複数色の有機ＥＬ材料を使用するものであって、前記基板の前面を前記液滴噴射ヘッドが前記溶液を噴射しながらキャリッジ往復走査するとともに前記液滴を噴射して前記機能性素子を複数個形成する際、前記キャリッジ走査は前記長方形基板の短手方向での往復走査とし、前記短手方向をキャリッジ往復走査する液滴噴射ヘッドと前記長方形基板の相対的移動は、前記長方形基板の長手方向とすることを特徴とする機能性素子基板製作装置。
【請求項２】
上下方向を短手方向、左右方向を長手方向とする表示面を有する画像表示装置に組み込まれる機能性素子基板を製作する機能性素子基板製作装置において、該機能性素子基板製作装置は、短手方向×長手方向が、２００ｍｍ×３００ｍｍ〜２０００ｍｍ×３０００ｍｍの範囲の大きさの長方形基板を設置するとともに、前記機能性素子は、有機の機能性材料を含有する溶液の液滴をピエゾ素子を利用したドロップオンデマンド方式の液滴噴射ヘッドにより噴射付与し、該溶液の溶媒を除去してなる機能性素子であり、前記有機の機能性材料として有機トランジスタを製作する材料を使用するものであって、前記基板の前面を前記液滴噴射ヘッドが前記溶液を噴射しながらキャリッジ往復走査するとともに前記液滴を噴射して前記機能性素子を複数個形成する際、前記キャリッジ走査は前記長方形基板の短手方向での往復走査とし、前記短手方向をキャリッジ往復走査する液滴噴射ヘッドと前記長方形基板の相対的移動は、前記長方形基板の長手方向とすることを特徴とする機能性素子基板製作装置。
【請求項３】
請求項１、又は２に記載の機能性素子基板製作装置によって製作されることを特徴とする長方形形状の機能性素子基板。
【請求項４】
請求項３に記載の機能性素子基板と、この機能性素子基板に対向して配置されたカバープレートとを有することを特徴とする長方形形状の画像表示装置。
【請求項５】
請求項４に記載の画像表示装置は、該画像表示装置を１つの構成ユニットとする画像表示機能を有するシステムに組み込まれるとともに、該システムは人が使用する際に前記画像表示装置に向かって左右方向が画像表示装置の長手方向になるように組み込まれたことを特徴とする画像表示システム。
【手続補正３】
【補正対象書類名】明細書
【補正対象項目名】０００１
【補正方法】変更
【補正の内容】
【０００１】
【発明の属する技術分野】
本発明は、液滴吐出装置を用いた機能性材料の膜形成、特に膜パターン形成製作装置およびそれによって形成された機能性素子基板ならびにその機能性素子基板を用いた画像表示装置に関する。
【手続補正４】
【補正対象書類名】明細書
【補正対象項目名】０００５
【補正方法】変更
【補正の内容】
【０００５】
【発明が解決しようとする課題】
本発明は、液滴吐出装置を用いて機能性材料の膜形成を行うことによって形成される機能性素子基板の製作装置、また、その機能性素子基板ならびにそれを用いた画像表示装置に関するものであり、
その第１の目的は、高精度な機能性素子を有する機能性素子基板を製作できる装置を提供することにある。
また第２の目的は、このような機能性素子基板を製作する装置をコンパクト化することにある。
さらに第３の目的は、高精度な機能性素子を有する機能性素子基板を提案することにある。
また第４の目的は、このような機能性素子基板を用いた画像表示装置を提案することにある。
さらに第５の目的は、このような画像表示装置を組み込んだ画像表示システムが人にとってより使いやすくするようにすることにある。
【手続補正５】
【補正対象書類名】明細書
【補正対象項目名】０００６
【補正方法】変更
【補正の内容】
【０００６】
【課題を解決するための手段】
本発明は前記目的を達成するために、
第１に、上下方向を短手方向、左右方向を長手方向とする表示面を有する画像表示装置に組み込まれる機能性素子基板を製作する機能性素子基板製作装置において、該機能性素子基板製作装置は、短手方向×長手方向が、２００ｍｍ×３００ｍｍ〜２０００ｍｍ×３０００ｍｍの範囲の大きさの長方形基板を設置するとともに、前記機能性素子は、有機の機能性材料を含有する溶液の液滴をピエゾ素子を利用したドロップオンデマンド方式の液滴噴射ヘッドにより噴射付与し、該溶液の溶媒を除去してなる機能性素子であり、前記電極としてＩＴＯを使用し、前記有機の機能性材料として複数色の有機ＥＬ材料を使用するものであって、前記基板の前面を前記液滴噴射ヘッドが前記溶液を噴射しながらキャリッジ往復走査するとともに前記液滴を噴射して前記機能性素子を複数個形成する際、前記キャリッジ走査は前記長方形基板の短手方向での往復走査とし、前記短手方向をキャリッジ往復走査する液滴噴射ヘッドと前記長方形基板の相対的移動は、前記長方形基板の長手方向とするようにした。
第２に、上下方向を短手方向、左右方向を長手方向とする表示面を有する画像表示装置に組み込まれる機能性素子基板を製作する機能性素子基板製作装置において、該機能性素子基板製作装置は、短手方向×長手方向が、２００ｍｍ×３００ｍｍ〜２０００ｍｍ×３０００ｍｍの範囲の大きさの長方形基板を設置するとともに、前記機能性素子は、有機の機能性材料を含有する溶液の液滴をピエゾ素子を利用したドロップオンデマンド方式の液滴噴射ヘッドにより噴射付与し、該溶液の溶媒を除去してなる機能性素子であり、前記有機の機能性材料として有機トランジスタを製作する材料を使用するものであって、前記基板の前面を前記液滴噴射ヘッドが前記溶液を噴射しながらキャリッジ往復走査するとともに前記液滴を噴射して前記機能性素子を複数個形成する際、前記キャリッジ走査は前記長方形基板の短手方向での往復走査とし、前記短手方向をキャリッジ往復走査する液滴噴射ヘッドと前記長方形基板の相対的移動は、前記長方形基板の長手方向とするようにした。
第３に、上記第１又は第２のいずれか１の機能性素子基板製作装置によって製作される長方形形状の機能性素子基板であるようにした。
第４に、上記第３の機能性素子基板と、この機能性素子基板に対向して配置されたカバープレートとを有するような長方形形状の画像表示装置とした。
第５に、上記第４の画像表示装置は、該画像表示装置を１つの構成ユニットとする画像表示機能を有するシステムに組み込まれるとともに、該システムは人が使用する際に前記画像表示装置に向かって左右方向が画像表示装置の長手方向になるように組み込まれたシステムとした。
【手続補正６】
【補正対象書類名】明細書
【補正対象項目名】００１０
【補正方法】変更
【補正の内容】
【００１０】
図２は、本発明の機能性素子基板の製作装置の一実施例を説明するための図で、図中、１１は吐出ヘッドユニット（噴射ヘッド）、１２はキャリッジ、１３は基板保持台、１４は機能性素子を形成する基板、１５機能性材料を含有する溶液の供給チューブ、１６は信号供給ケーブル、１７は噴射ヘッドコントロールボックス、１８はキャリッジ１２のＸ方向スキャンモータ、１９はキャリッジ１２のＹ方向スキャンモータ、２０はコンピュータ、２１はコントロールボックス、２２（２２Ｘ1、２２Ｙ1、２２Ｘ2、２２Ｙ2）は基板位置決め／保持手段である。
【手続補正７】
【補正対象書類名】明細書
【補正対象項目名】００１４
【補正方法】変更
【補正の内容】
【００１４】
上述のような機能性素子基板の製作装置において、本発明では、図２に示したように、基板（機能性素子基板）１４は長方形形状であるとともに、その基板（機能性素子基板）１４の前面を噴射ヘッド１１がキャリッジ走査により長方形形状の基板（機能性素子基板）１４の短手方向（図中、Ｘ方向）に往復走査を行うようにしている。
【手続補正８】
【補正対象書類名】明細書
【補正対象項目名】００１５
【補正方法】変更
【補正の内容】
【００１５】
本発明の機能性素子基板製作装置およびそれによって製作される機能性素子基板は後述するが、２００ｍｍ×３００ｍｍ程度の中画面〜２０００ｍｍ×３０００ｍｍあるいはそれ以上の大画面の画像形成装置の製作を想定している。その際問題となるのが、大画面用機能性素子基板であるがゆえに、キャリッジ往復走査（図中、Ｘ方向）時の精度である。製作する機能性素子基板が１００ｍｍ×１５０ｍｍ程度の小画面用基板であれば、ほとんど問題は生じないが、本発明のように、大型のものを製作する場合には、キャリッジ往復走査を行うためのＸ方向の駆動軸がたわむことによるキャリッジ往復走査の精度悪化が問題となる。
【手続補正９】
【補正対象書類名】明細書
【補正対象項目名】００５４
【補正方法】変更
【補正の内容】
【００５４】
【発明の効果】
請求項１，２に対応した効果
機能性素子基板の製作装置において、機能性素子基板は長方形形状であるとともに、キャリッジ走査が長方形形状の短手方向に往復走査を行うようにしたので、キャリッジ走査領域が短いために、キャリッジ走査機構のたわみ等によるキャリッジ走査精度の低下がなく、高精度なキャリッジ走査を行うことができ、この製作装置によって製作される機能性素子基板もその機能性素子部を高精度なものとすることができた。
【手続補正１０】
【補正対象書類名】明細書
【補正対象項目名】００５５
【補正方法】変更
【補正の内容】
【００５５】
更に、機能性素子基板は機能性素子基板製作装置に設けられた基板搬送手段によって長手方向に搬送され、液滴噴射ヘッドによるキャリッジ走査および液滴噴射との組み合わせにより、機能性素子群を形成するようにしたので、キャリッジ走査方向における領域を狭くできるため、このような機能性素子基板を製作する装置をコンパクトにすることができた。
【手続補正１１】
【補正対象書類名】明細書
【補正対象項目名】００５６
【補正方法】変更
【補正の内容】
【００５６】
請求項３に対応した効果
キャリッジ走査精度の高い機能性素子基板製作装置によって製作される長方形形状の機能性素子基板であるので、高精度な機能性素子を有する機能性素子基板を得ることができるようになった。
【手続補正１２】
【補正対象書類名】明細書
【補正対象項目名】図面の簡単な説明
【補正方法】変更
【補正の内容】
【図面の簡単な説明】
【図１】  本発明の実施例にかかる吐出組成物を用い機能性素子を作製する一工程を模式的に示す斜視図である。
【図２】  本発明の機能性素子基板の製作装置の一実施例を説明するための図である。
【図３】  本発明の機能性素子基板の製作装置の動作を説明するための概略構成図である。
【図４】  図２の液滴付与装置の吐出ヘッドユニットの要部概略構成図である。
【図５】  本発明の一実施形態に係る機能性素子の構成を示す模式的平面図であり、複数滴で機能性素子部を形成する例である。
【図６】  本発明の一実施形態に係る機能性素子の構成を示す模式的平面図であり、複数滴で機能性素子部を形成する他の例である。
【図７】  本発明の一実施形態に係る機能性素子の製作装置に使用される噴射ヘッドの構成図である。
【図８】  本発明のディスプレイ装置を組み込んだシステムを利用している状況を示す図である。
【図９】  本発明のディスプレイ装置を見ている人間の水平視野角を説明する図である。
【符号の説明】
１…（液体噴射ヘッド）ノズル、２…吐出される有機ＥＬ材料、３…有機物（ポリイミド）障壁、４…ＩＴＯ透明電極、５…ガラス基板、１１…吐出ヘッドユニット（噴射ヘッド）、１２…キャリッジ、１３…基板保持台、１４…基板、１５…機能性材料を含有する溶液の供給チューブ、１６…信号供給ケーブル、１７、２１…コントロールボックス、１８…Ｘ方向スキャンモータ、１９…Ｙ方向スキャンモータ、２０…コンピュータ、２２…基板位置決め／保持手段、３１…ヘッドアライメント制御機構、３２…検出光学系、３３…インクジェットヘッド、３４…ヘッドアライメント微動機構、４１…光軸、４２…素子電極、４３…液滴、４４…液滴着弾位置、５０…噴射ヘッド、６０…ノズル、７０…ディスプレイ。